【手続補正書】
【提出日】平成16年11月11日(2004.11.11)
【手続補正１】
【補正対象書類名】明細書
【補正対象項目名】全文
【補正方法】変更
【補正の内容】
【書類名】      明細書
【発明の名称】  公衆交換電話ネットワークで使用される方法
【特許請求の範囲】
【請求項１】
（Ａ）  加入者の電話回線をインターネットサービスプロバイダ（ＩＳＰ）に接続するステップと、
（Ｂ）  前記加入者の電話回線が前記ＩＳＰに接続されている間、インターネットコールウェイティング（ＩＣＷ）サーバを無効にするステップと、
（Ｃ）  電話の呼びが前記加入者の電話回線につながれた場合、発呼者が加入者が規定したアクセスコードを入力したか、否かを確認するステップと、
（Ｄ）  前記発呼者が前記アクセスコードを入力した場合に、前記発呼者を前記ＩＣＷサーバに接続し、前記ＩＣＷサーバを有効にするステップと、
（Ｅ）  前記発呼者が前記アクセスコードを入力しない場合に、前記発呼者を前記ＩＣＷサーバに接続しないステップと、
（Ｆ）  呼びが前記ＩＣＷサーバに接続された場合に、前記加入者が前記呼びを接続するか、もしくは無視することが出来るように、前記有効にされたＩＣＷサーバを介して、発呼者の識別情報を前記加入者に対して表示するステップと、
を有することを特徴とする公衆交換電話ネットワーク（ＰＳＴＮ）で使用される方法。
【請求項２】
前記アクセスコードは、前記加入者により確立された特定の順番の複数の英数字の文字を含むセキュリティコードを含む
ことを特徴とする請求項１記載の方法。
【請求項３】
前記アクセスコードは、前記ＩＣＷサーバの動作をトリガーするＩＣＷトリガコードをさらに含み、
前記トリガコードは、前記ＰＳＴＮのオペレータにより確立されている
ことを特徴とする請求項１記載の方法。
【請求項４】
（Ｇ）  前記発呼者の番号が、加入者が規定したスクリーニング基準に従って許容される場合のみ、前記ステップＤを実行するステップ
をさらに有することを特徴とする請求項１記載の方法。
【請求項５】
（Ｈ）  加入者が規定した時間基準に従って、現在の時間的局面が許容される場合のみ前記ステップＤを実行するステップ
をさらに有することを特徴とする請求項１記載の方法。
【請求項６】
（Ｉ）  前記発呼者の番号が、加入者が規定したスクリーニング基準に従って許容され、かつ、加入者が規定した時間基準に従って、現在の時間的局面が許容される場合のみ前記ステップＤを実行するステップ
をさらに有することを特徴とする請求項１記載の方法。
【請求項７】
前記発呼者が前記加入者の電話回線に対して電話をする場合に、前記発呼者が、前記加入者の電話番号に対するプレフィクスの一部として前記アクセスコードを入力する
ことを特徴とする請求項１記載の方法。
【請求項８】
（Ｊ）  前記発呼者に対し、前記アクセスコードを入力するよう促すステップ
をさらに有することを特徴とする請求項１記載の方法。
【請求項９】
（Ｋ）  加入者のインターネットコールセッションの間、加入者に対してなされた全ての電話の呼びについての、加入者が見ることの出来る通信記録を保存するステップ
をさらに有することを特徴とする請求項１記載の方法。
【請求項１０】
（Ｋ）  加入者のインターネットコールセッションの間、加入者に対してなされた全ての電話の呼びについての、加入者が見ることの出来る通信記録を保存するステップと、
（Ｌ）  前記加入者に接続されなかった呼びから、加入者が取り出すことのできるボイスメールを受領するステップと
をさらに有することを特徴とする請求項１記載の方法。
【発明の詳細な説明】
【０００１】
【発明の属する技術分野】
本発明は、電話サービスを提供するネットワークに関し特にインターネットコールセッションの間インターネットサービスプロバイダに現在接続されている電話回線への来入した呼びを効率よく、管理する方法に関する。
【０００２】
【従来の技術】
公衆交換電話ネットワーク（ＰＳＴＮ）は通常の電話の呼びを処理するような多くの重要な用途を有する。さらにＰＳＴＮは、ワイドエリアネットワーク（例：インターネット）（ＷＡＮ）にコンピュータを接続するのにますます用いられている。
【０００３】                              
多くの電話機の顧客は、音声の呼びを受信したり、発呼したりする両方のために一本の電話回線を用いマイクロコンピュータをインターネットに接続している。しかし、標準の電話サービスにおいては顧客は、ライン上で電話の呼びを受領し、かつこのラインをコンピュータにインターネットサービスプロバイダー（ＩＳＰ）を介してインターネット同時に接続することは出来ない。
【０００４】
ＩＳＰの月額料金が比較的安いために多くの顧客は、インターネットに接続されたかなりの時間を費やし、電話の呼びには長時間使用しない。
【０００５】
この問題を解決するために従来技術では、インターネットコールウェイティング（ＩＣＷサービスを提案し、このサービスはスクリーンまたはスピーカーあるいはその両方の上で）発呼者の特定を加入者にアナウンスし、加入者のコンピュタがインターネットに接続されている。
【０００６】
加入者は興味のある呼びを接続するか（接続するこのため一時的にインターネットが切断される）あるいは呼びを無視するかのいずれかを選択することが出来る。
【０００７】
インターネットコールセッションに関与している多くの加入者にとって、インターネットコールウェイティング電話の呼びに関連する多くのポップアップメニュー等は気を散らしたりわずらわしいものとなっている。
【０００８】
【発明が解決しようとする課題】
本発明の目的は、加入者が選択した相手からの呼びをあらかじめスクリーンに表示し、他の電話の呼びに対するポップアップメニューのわずらわしさを回避させるシステムを提供する。
【０００９】  
【課題を解決するための手段】
上記の従来技術に関わる問題及び、欠陥に鑑みて本発明は公衆交換電話ネットワーク（ＰＳＴＮ）において、加入者の電話回線をインターネットサービスプロバイダＩＳＰに接続し、かつ加入者の電話回線をＩＳＰに接続しながらインターネットコールウェイティング（ＩＣＷ）サーバにダイヤルし、電話の呼びが加入者の電話回線に接続された場合には、発呼者は加入者が規定したアクセスコードを入力するかが確認される。
【００１０】
本発明の方法はさらに少なくとも発呼者をＩＣＷサーバに接続し、発呼者がアクセスコードを入力した場合には、それを活性化し発呼者がアクセスコードを入力しない場合には、発呼者をＩＣＷサーバに接続せず、そして活性化されたＩＣＷサーバを介して発呼者の識別情報を加入者に表示し、呼びがＩＣＷサーバに接続されて加入者は呼びを接続するか、あるいは呼びを無視することが出来る。
【００１１】
【発明の実施の形態】
本発明のアドバンスドインターネットコールセッションマネージャー（ＡＩＣＳＭ）の基本的構成要素図１，２に示す。図１のアドバンスドインターネットコールセッションマネージャー１００は公知の機能に加えて、本発明の機能を実行する変更されたローカルスイッチ１３０を用いて実現される。
【００１２】
本発明のアドバンスドインターネットコールセッションマネージャーの他の実施例２００を図２に示す。１００と機能的には等価でありアドバンスドインターネットコールセッションマネージャー２００はインテリジェントネットワーク２９２を用いて、図１，２の本発明のユニークな特徴を実行し、実線は音声パスを表す構成要素の間の接続ラインであり、点線はデータパスを表す構成要素の間の接続ラインである。
【００１３】
図１において加入者１１０から本発明のアドバンスドインターネットコールセッションマネージャーサービスへの電話回線は、コンピュータまたはコンピュータシステム１２０にＭＯＤＥＭ１２２を介して接続される。次にコンピュータまたはコンピュータシステム１２０示したように加入者は従来公知のインターネットコールウェイティングサービスを有している。コンピュータ１２０はインターネットコールウェイティングサービスを実行するためにエンドユーザが必要とするソフトウエアを含んでいる。
【００１４】
加入者が、本発明のアドバンスドインターネットコールセッションマネージャーサービスが駆動されたインターネットに接続を望むと、コンピュータ１２０はＭＯＤＥＭ１２２を介して、公衆交換電話ネットワーク１３０のローカルスイッチ１３２をデータパス１２６を介して接続し、インターネットサービスプロバイダ （ＩＳＰ）１６０のそれを受呼者の番号として特定する。一実施例においては、コンピュータ１２０とローカルスイッチ１３２にとの間で用いられるプロトコル（ＰＴＰ）である。他の定義のプロトコルも用いることが出来るが、それは本発明の範囲以内に入る。ＩＳＰ１６０の電話番号を提供しながら、コンピュータ１２０はアドバンスドインターネットコールセッションマネージャーサービスが活性化されていることを示す。
【００１５】
従来技術と同様にＩＳＰ１６０（データパス１５０、ＭＯＤＥＭ１６２を介してローカルスイッチに接続されている）は加入者の電話回線をインターネット１７０にデータパス１６６を介して接続する。インターネットコールウェイティング（ＩＣＷ）サーバ１８０はデータパス１７０に、１８４を介して接続され加入者が電話メッセージを受領し、かつ加入者の電話回線がインターネットに接続されているときに加入者に送られたコールウェイティングメッセージの動作を制御し、その後加入者が呼びを受領したり、あるいは無視したりすることが出来る。
【００１６】
図３のアルゴリズム３００を参照すると、本発明は発呼者が加入者の電話番号にダイヤルする前に、プリーフィクスコード内に英数字のトリガーコードと、加入者により発呼者に与えられた個人識別番号（ＰＩＮ）を含んでいない限り（またはアクセスコードに電話しない限り）ＩＣＷ機能をディスエーブル（ｄｉｓａｂｌｅ、無効あるいは不動作）にしておく。
【００１７】
即ち、加入者はＰＩＮ注意深くかつ限られた人に分配することによりどの発呼者がＩＣＷサービスをを活性化出来るかを限定することが出来る。また本発明の一部として加入者は、事前識別（スクリーニング）を確立するか、あるいはＩＣＷの呼びを許す他の基準を確立することも出来、その結果、発呼者が正確なＰＩＮをダイヤルした場合でもＩＣＷサービスは発呼者のＩＤ限定、または日時が条件に合わない場合に条件があった場合のみ行われる。
【００１８】
図１に戻って加入者は音声パス１２８を介して、ＰＳＴＮ１３０を介した音声電話の呼びを着信（即ち接続）することが出来る。発呼者１４０、は加入者１１０が本発明のＡＩＣＳＭを用いながら、加入者１１０に電話をするときには、音声パス１４４がローカル交換機１３２により確立され、アクセスコードと加入者の電話番号等を与える。
【００１９】
ＡＩＣＳＭデータベース（図示せず）はシステム内のＡＩＣＳＭ加入者に対し、加入者のＰＩＮと加入者がインターネットに接続中にＩＣＷサービスをイネイブル（可能にする）出来る場合には、加入者により発呼者に対し確立されたアクセス基準（即ち制約）を記憶する。次の者は加入者が確立する基準の一例である。即ち発呼回線の識別、発呼者の識別番号、日時、曜日および時間である。
【００２０】
基準は肯定的な者、否定的な者、あるいはそれらの組み合わせである。例えば加入者はデータベースで指定されたもの以外の電話番号を受け付けるように規制することも出来る。あるいは加入者がＩＣＷサービスをイネイブル（可能）にするためにデータベースに規定された番号にあった電話番号の発呼者のみを受け入れるようにすることも出来る。
【００２１】
これらのアクセス基準は顧客サービス番号（自動あるいは非自動）に電話をかけることにより、いつでも加入者により変更可能であり、ＡＩＣＳＭデータベースにインターネットのウェブサイトを介して直接アクセスすることによりコンピュータでメニューに従うようにすることも出来る。
【００２２】
ＡＩＣＳＭデータベースはローカル交換機１３２または図２のインテリジェントネットワーク２９２内で実行することも出来る。ＡＩＣＳＭデータベースはＩＣＷサーバ１７２と２７２内で実行することも可能である。
【００２３】
図２の構成要素は図１の構成要素と類似した番号をふしている。即ち図２の下二桁が図１の下二桁の番号に相当する。機能と構成要素は類似であるため、詳細な説明はかつあいする。
【００２４】
インテリジェントネットワーク（ＩＮ）は電話システム内の電話の呼びを自動的に処理するのに用いられるソフトウエアとハードウエアのハイブリッド混成物である。ＩＮ２９２内のサービスコントロールポイント（ＳＣＰ）２９０は呼びの処理等を制御する論理を提供し、さまざまな処理に必要な有用な情報を記憶するデータベースを有する。ＩＮはまた、ネットワークに対する呼びを受領するため、および宛先の番号に呼びを移動するため数個の交換機を含む。各交換機はサービス交換ポイント（ＳＳＰ）に２３２を有し、発呼者とインタフェイス（共通領域）しＳＣＰの制御の元で実際の呼びのルーティング（移動）を実行する。
【００２５】
ＳＣＰとＳＳＰは、European  Telecommnication  Standards  Institute（ＥＴＳＩ）またはInternational  Telecommnication  Unit（ＩＴＵ）により認証されたIntelligent  Network  Application  Protocol（ＩＮＡＰ）を用いて高速リンクでもって接続される。ＳＣＰ２９０はネットワーク化されたデータベースで実現され地理的配置には限定されない。
【００２６】
アドバンスドインターネットコールセッションマネージャーの基本的な呼びのながれ、本発明のアドバンスドインターネットコールセッションマネージャーの呼びの流れを図３を参照して次に説明する。呼びのながれはＡＩＣＳＭがインテリジェントネットワークを用いて実現されているか否かに関わらず自主的に同一である。
【００２７】
本発明の呼びのフローを表すアルゴリズム３００はステップ３０２で始まり、第三者（パーティＣ）が呼びをＡＩＣＳＭサービス加入者パーティＡにかける。パーティＢには、インターネットサービスプロバイダが指定される。ステップ３０４において交換局またはローカルサービス交換ポイント（インテリジェントネットワークが用いられた場合）はパーティＣの呼びをパーティＡに接続しようとする。
【００２８】
ラインが通話中（ビジー）で無い場合には呼びはステップ３０８で通常通り処理され、アルゴリズムは３１２で終了する。それ以外の場合アルゴリズムはステップ３０６に進む。パーティＡのラインがビジーのときにはシステムはパーティＡはアドバンスドインターネットコールセッションマネージャーの加入者であるか否かを決定する。加入者の場合パーティＡはコールセッションマネージャーがイネイブル（可能に）されたインターネットコールセッションに関わっているか否かを決定する。
【００２９】
パーティＡがコールセッションマネージャーがイネイブルされたインターネットコールセッションに関係していない場合には、パーティＣはパーティＡがオンフック（即ち受話器を置くまでビジー信号を受領する）そしてステップ３１６を完了する。パーティＡがコールセッションマネージャーがイネイブルされたインターネットコールセッションに関係している場合には、受信した全ての呼びは接続されているか、いないかあるいは発呼者がボイスメッセージを接続されているか否かに関わらず、および発呼者がボイスメッセージを残すか否かに関わらず（受領した全ての呼びは）ステップ３１０加入者により将来見るためにログ（記憶）される。
【００３０】
一般的アルゴリズム３００においては、システムはパーティＣがインターネットコールウェイティングコールのような呼びを処理するために必要とされるプレフィクス即ち（アクセス）コードを入力したか否かを決定する。（ステップ３１４）インターネットコールウェイティングの呼びは、加入者がオンライン中でもインターネットの加入者の注意を引くような呼びである。呼びが通知されると、加入者は呼びを接続するかあるいはそれを無視する（発呼者がボイスメッセージを残せるようにする）かが選択出来る。
【００３１】
プレフィクスコードはデュアルトーン多重周波数（ＤＴＭＦ）キーパッドを介して入力された一連の英数字である。プレフィクスコードは呼びの処理をインターネットコールウェイティングの呼びとして開始するようなトリガーディジット（ステップ３２４とステップ３１８内の条件が満たされた場合）と加入者により確立されたおよびメモリーに記憶された個人識別番号（ＰＩＮ）の両方を含む。
これにより加入者は自分がＰＩＮを与えた人（例えば家族、親しい友人、重要な指定された組織、例えば学校）に自分のインターネットコールウェイティングサービスへのアクセスを制限することが出来る。プレフィクスコードの一例のトリガーディジットは“＊５５”である。実際には、パーティＣは最初にプレフィクスコードをダイヤルし、その後パーティＡの電話番号例えば“＊５５xxxnnnnnnn”を電話する。ここで“xxx”はＰＩＮを表し“nnnnnnn”は発呼者パーティＡの電話番号を表す。
【００３２】
パーティＣがプレフィクスコードをダイヤルした後、パーティＡのＰＩＮをダイヤルしない場合にはシステムはパーティＣに対し、インターネットコールウェイティングマネージャーを活性化させるようなオプションをメニューから選択するよう促す。パーティＣがインターネットコールウェイティングマネージャーを活性化することを選択した場合（パーティＡとパーティＣは呼びを接続しようとすることを試みている）彼は正確なＰＩＮを入力しなければならない（ステップ３２０）。正確なＰＩＮが入力されると、アルゴリズムはステップ３２４に済み呼びをインターネットコールウェイティングの呼びであるとして処理する。正確なＰＩＮが入力されない場合（あるいはＰＩＮが入力されない場合）アルゴリズムはステップ３２６に進みそしてそのままステップ３２２に進む。
【００３３】
ステップ３２６では、パーティＣに対しボイスメッセージを残すようなオプションを与える。
【００３４】
ステップ３２０、３２２に関して、音声メッセージは次のように言うことが出来る。“貴方がおかけになっている相手は、現在インターネットに接続されています。もし貴方が相手にインターネットの接続を中断させることを許されている場合には‘＊５５’のボタンを押し、その後相手により貴方に与えられたＰＩＮ（個人識別番号）入力して下さい”。
【００３５】
ステップ３１４またはステップ３２２の後、パーティＣが正確なＰＩＮを入力した場合にはシステムは、加入者により確立された他の条件が満たされているか否かを決定する（ステップ３１８）。例えば加入者は電話番号、市外局番、国番号、地方交換機等からインターネット中で電話の呼びを受け入れるか、否かを決定する。同様に、加入者は電話番号、市外局番、国番号、地方交換機等を呼びが受け入れられないように指定することが出来る。加入者はまた呼びを無視するか、あるいは無視しないような時間帯に関する時間情報も入れることが出来る（ただし、発呼者はボイスメールを残す機械が与えられる）。
【００３６】
加入者のスクリーニングとスケジューリング基準が満たされると、呼びはステップ３２４でインターネットコールウェイティングの呼びとして処理される。スクリーニングとスケジューリング基準が満たされない場合には、通常、次のようなメッセージが流される（ステップ３２６）“誠に申し訳ありませんが、貴方がおかけになった電話は現在接続することは出来ません。トーンの音を聞いてから最大一分間メッセージを残すことが出来ます。その後受話器を置いて下さい。もしメッセージを残すことを望まないならば受話器をそのまま置いて下さい。”
【００３７】
本発明の様々な変型例は、上記の記載に基づいて可能である。しかし、これらの変型例は本発明の範囲以内に入る。
【００３８】
本発明の変型例の一例として発呼者がインターネットコールセッションに現在関連している、アドバンスド（高級）インターネットコールセッションマネージャーの加入者に電話をかける場合には、発呼者が加入者により必要とされるＰＩＮを知らない場合には、発呼者は加入者のオプションでシステムのオペレータにより、発呼者への課金が無料になり、呼びの処理をインターネットコールウェイティングの呼びとして処理出来るよう呼びを接続することが出来る。これによりシステムは加入者がインターネットコールセッションに関与していない間は、一般的な発呼者が緊急の呼びをすることが出来るようなフレキシビリティを与える。
【００３９】
特許請求の範囲の発明の要件の後に括弧で記載した番号がある場合は、本発明の一実施例の対応関係を示すものであって、本発明の範囲を限定するものと解釈すべきではない。
【図面の簡単な説明】
【図１】
本発明のアドバンスドインターネットコールセッションマネージャー（ＡＩＣＳＭ）のブロック図。
【図２】
ローカル交換機の代わりにインテリジェントネットワークを用いた図１のＡＩＣＳＭの変型例。
【図３】
本発明のＡＩＣＳＭの呼びのフローチャートの呼びの流れを表すフローチャート／アルゴリズム図
【符号の説明】
１２０，２２０  ＩＣＷ加入者のコンピュータ
１２２，２２２  モデム
１１０，２１０，１４０，２４０  電話機
１３２  ローカル交換機
２３２  ローカルＳＳＰ
１３０，２３０  ＰＳＴＮ
１６２，２６２  モデム
１７０，２７０  インターネット
１８０，２８０  ＩＣＷサーバ
２９０  サービスコントロールポイント
実線  音声パス
点線  データパス
【手続補正２】
【補正対象書類名】図面
【補正対象項目名】図３
【補正方法】変更
【補正の内容】
【図３】
2002320034.tif 000001